(57)【要約】【課題】スリッパーの摺動を平穏させ、カード退出機構の動作過程が平穏になり、電子カードの挿入及び退出の順調性を上昇させる。【解決手段】絶縁本体内にカード挿着スペースを形成し、案内溝が設けられる絶縁本体と、スリッパーを有し、スリッパーの底面にガイドブロックが突設され、ガイドブロックが案内溝に摺動的設置されるカード退出機構とを含む電子カードコネクタを提供する。【選択図】図２
2006172981.tif 000002
【特許請求の範囲】
【請求項１】
絶縁本体内にカード挿着スペースを形成し、案内溝が設けられる絶縁本体と、
スリッパーを有し、スリッパーの底面にガイドブロックが突設され、ガイドブロックが案内溝に摺動的設置されるカード退出機構と、を含む電子カードコネクタ。
【請求項２】
前記絶縁本体に二つ平行している案内溝が設けられ、前記カード退出機構のスリッパーの底面に二つ平行しているガイドブロックが突設され、各ガイドブロックは各案内溝に摺動的設置されることを特徴とする請求項１記載の電子カードコネクタ。
【請求項３】
前記絶縁本体は、ベース部と、各々、該ベース部の両端に平行に接続する第一のアーム及び第二のアームとを備え、前記ベース部と第一のアームと第二のアームとの間にカード挿着スペースが形成され、前記第一のアームの内側に前記絶縁本体の案内溝が設けられることを特徴とする請求項１記載の電子カードコネクタ。
【請求項４】
前記カード退出機構のスリッパーは、前記カード挿着スペース内に斜めに進入される推進面を備えることを特徴とする請求項１記載の電子カードコネクタ。
【請求項５】
前記絶縁本体のベース部に装着される導電端子を含み、前記各導電端子の両端は、各々、溶接端とコンタクト端であり、前記各溶接端はベース部の外側に位置し、前記各コンタクト端はカード挿着スペース内に位置されることを特徴とする請求項３記載の電子カードコネクタ。
【請求項６】
前記第一のアームの内側に摺動エリアが形成され、前記摺動エリアは前記カード挿着スペースに連通し、前記カード退出機構のスリッパーは、前記摺動エリア内に摺動的設置されることを特徴とする請求項３記載の電子カードコネクタ。
【請求項７】
前記絶縁本体の第一のアームの前端内側に凸部が設けられ、前記カード退出機構のスリッパーは、さらに切溝を設け、前記凸部が前記切溝に係合されることを特徴とする請求項３記載の電子カードコネクタ。
【請求項８】
前記カード退出機構は弾性部材を有し、前記絶縁本体はプラグユニットを有し、前記絶縁本体の第一のアームの後端に取付孔が形成され、前記弾性部材は前記取付孔から第一のアームの内側に貫設し、前記プラグユニットは取付孔に固定され、前記弾性部材の両端は各々前記プラグユニット及びスリッパーに当接されることを特徴とする請求項３記載の電子カードコネクタ。
【請求項９】
前記プラグユニットはフランジを有し、前記絶縁本体の第一のアームの後端に凹溝が形成され、前記凹溝は取付孔に連通し、前記フランジは前記凹溝内に係止されることを特徴とする請求項８記載の電子カードコネクタ。
【請求項１０】
前記プラグユニットは第一のロッド部を有し、前記カード退出機構のスリッパーに取付溝が形成され、前記スリッパーは取付溝内に位置する第二のロッド部を備え、前記弾性部材の一端は前記取付溝内に収納され、前記第一のロッド部及び第二のロッド部は、各々、前記弾性部材の両端に貫設することを特徴とする請求項８記載の電子カードコネクタ。
【請求項１１】
前記絶縁本体にカバーして設置され、定位孔が形成される後板を有するカバーケースを含み、前記絶縁本体のベース部の外側面に定位凸部が形成され、前記定位孔は定位凸部に係止され、前記後板は絶縁本体の取付孔の外側にカバーしていることを特徴とする請求項８記載の電子カードコネクタ。
【請求項１２】
前記絶縁本体にカバーして設置され、当接片が設けられる上板を有するカバーケースを含み、前記カード退出機構は案内部材を有し、前記案内部材の両端は、各々、枢接端と案内端であり、前記スリッパーは軌跡曲線溝を設け、前記枢接端は前記絶縁本体に枢接し、前記案内端は軌跡曲線溝内に可動に移動して、前記当接片は案内部材の案内端の上方に当接することを特徴とする請求項１記載の電子カードコネクタ。
【請求項１３】
前記上板に下凹点が設けられ、前記下凹点は前記案内部材の枢接端の上方に当接することを特徴とする請求項１２記載の電子カードコネクタ。
【請求項１４】
前記絶縁本体にカバーして設置されるカバーケースを含み、前記カバーケースにガイドレールが形成され、前記ガイドレールは前記絶縁本体の案内溝に平行し、前記カード退出機構のスリッパーは挿穴が設けられ、前記カード退出機構は前記スリッパーに固定されるアシスト端子を有し、前記アシスト端子に導片が設けられ、前記導片は前記挿穴から伸び出してガイドレール内に摺動可能に設置されることを特徴とする請求項１記載の電子カードコネクタ。
【請求項１５】
前記カード退出機構のスリッパーは、ストップウォール及びストップ角を有し、前記アシスト端子はお互いに接続される支持部と曲折部と弾性アームとを有し、前記支持部はストップウォールに当接し、前記支持部に導片が設けられ、前記弾性アームに内向き折部が設けられ、前記内向き折部は前記絶縁本体のカード挿着スペース内に突出進入し、前記弾性アームの自由端は前記ストップ角の内側にストップされることを特徴とする請求項１４記載の電子カードコネクタ。
【発明の詳細な説明】
【技術分野】
【０００１】
本発明は、電子カードコネクタに関わるもので、とくに、その中に挿着される電子カードを推進することより、電子カードの退出動作が完成できる電子カードコネクタに関するものである。
【背景技術】
【０００２】
電子カードの体積が小さく、記憶容量が大きいので、各種の電子製品、例えば、携帯電話やデジタルカメラ或はパーソナルデジタルアシスト装置などの携帯式電子製品に幅広く応用されている。電子製品内に回路基板と電子カードコネクタが設けられ、この電子カードコネクタは、回路基板に固定され、その中に電子カードを挿着させ、その導電端子に電気的接触し、電子カードと回路基板とを電気的接続するようになる。それとともに、電子カードコネクタはカード退出の機能を提供し、円滑的にその中に挿着される電子カードを取出させる。電子カードの挿入及び退出操作が頻繁に行われるので、電子カードコネクタは、電子カードの挿入及び退出ときの順調性を維持するように、十分な耐用性を持たなければならなく、電子カードと電子カードコネクタの導電端子との電気的接触を確実にして、カード退出に失敗を発生するような事情を避ける。
【発明の開示】
【発明が解決しようとする課題】
【０００３】
図1に示すように、従来の電子カードコネクタは、その中に電子カード（図を示さず）を挿着させるもので、絶縁本体６と導電端子７とカード退出機構８とカバーケース９とを含む。絶縁本体６は、ベース部６０と、該ベース部６０の両端に平行に接続する第一のアーム６１及び第二のアーム６２とを備え、ベース部６０と第一のアーム６１と第二のアーム６２との間に、カード挿着スペース６３が形成される。各導電端子７は、絶縁本体６のベース部６０に装着される。カード退出機構８は、スリッパー８０と弾性部材８１と案内部材８２と軌跡曲線溝８３とを含み、軌跡曲線溝８３は第一のアーム６１に設けられベース部６０に近接し、スリッパー８０は摺動部８０１と推進アーム８０２を有し、摺動部８０１は第一のアーム６１に摺動可能に設けられ、推進アーム８０２はカード挿着スペース６３内に進入され、弾性部材８１は第一のアーム６１とスリッパー８０との間に設けられ、案内部材８２の両端は各々枢接端８２１と案内端８２２であり、枢接端８２１はスリッパー８０の摺動部８０１に枢接し、案内端８２２は第一のアーム６１の軌跡曲線溝８３内に可動に移動している。カバーケース９は絶縁本体６上にカバーして設置され、スリッパー８０の摺動部８０１を絶縁本体６の第一のアーム６１とカバーケース９との間に挟持させる。
【０００４】
前記従来の電子カードコネクタは、電子カードをカード挿着スペース６３に挿入したとき、電子カードの一端よりスリッパー８０の推進アーム８０２を推進し前進させ、かつ弾性部材８１を引き伸ばせ、案内部材８２の案内端８２２を第一のアーム６１の軌跡曲線溝８３内に進行しその中に位置決められ、カード挿入動作を完成させる。再び電子カードを推進すると、案内部材８２の案内端８２２は開放され、かつ弾性部材８１よりスリッパー８０を引き戻して、推進アーム８０２で電子カードを押出し、カード退出動作を完成させる。しかしながら、スリッパー８０は摺動部８０１だけで第一のアーム６１とカバーケース９との間に挟持させるため、がたつきや摩擦が発生し易く、カード挿入及びカード退出動作は順調に出来なくなり、電子カードと各導電端子７との電気的接触に影響を及ぼすことだけでなく、カード退出に失敗を招くこともある。
【０００５】
そのため、上記に分かるように、前記従来の電子カードコネクタは、実際の使用上に、確かに不便や欠点があり、改良が望まれる。
【０００６】
そのため、そこで発明者は、これらの従来の技術の欠点がさらに改良する必要があると感じ、研究や設計に専念し、合理な設計且つ有効に上記の欠点を改善した本発明を提供した。
【課題を解決するための手段】
【０００７】
本発明の主な目的は、カード退出機構の動作過程を平穏させ、電子カードの挿入及び退出の順調性を上昇させる電子カードコネクタを提供する。
【０００８】
前記目的を達成するために、本発明は、絶縁本体内にカード挿着スペースを形成し、案内溝が設けられる絶縁本体と、スリッパーを有し、スリッパーの底面にガイドブロックが突設され、ガイドブロックが案内溝に摺動的設置されるカード退出機構とを含む電子カードコネクタを提供する。
【０００９】
従来の技術に比較すると、本発明はガイドブロックが案内溝に摺動的設置されることで、スリッパーの摺動を平穏させ、カード退出機構の動作過程が平穏になり、電子カードの挿入及び退出の順調性を上昇させる。
【発明を実施するための最良の形態】
【００１０】
本発明の特徴とその技術内容をさらに詳細的で具体的に説明するために、以下に添付図面を参照しながら、本発明の具体的な実施の形態を詳細的に説明するが、それらの説明と図面に開示される具体的な構成は本発明の主張範囲を狭義的に局限するものではないことは言うまでもない。
【００１１】
図２〜図１１を参照すると、本発明は、その中に電子カード（図を示さず）を挿着させる電子カードコネクタであり、該電子カードコネクタは絶縁本体１と導電端子２とカード退出機構３とカバーケース４とを含む。
【００１２】
絶縁本体１は、ベース部１０と、各々、該ベース部１０の両端に平行に接続する第一のアーム１１及び第二のアーム１２とを備え、ベース部１０と第一のアーム１１と第二のアーム１２との間にカード挿着スペース１３が形成され、電子カードは進行通路１３１に沿ってカード挿着スペース１３内に挿着される。絶縁本体１のベース部１０の頂面に挿穴１０２が形成され、絶縁本体１のベース部１０の外側面に定位凸部１０１が設けられる。絶縁本体１の第一のアーム１１及び第二のアーム１２の外側面に定位凸部１２１が設けられる。絶縁本体１の第一のアーム１１の内側に摺動エリア１１１が形成され、かつ案内溝１１２が設けられ、摺動エリア１１１はカード挿着スペース１３に連通し、案内溝１１２は進行通路１３１に平行する。第一のアーム１１の後端頂面に枢穴１１５を設け、第一のアーム１１の前端内側に凸部１１６が設けられる。絶縁本体１はさらにプラグユニット１４を含み、プラグユニット１４の前端に第一のロッド部１４１を有し、プラグユニット１４の外縁面にフランジ１４２を形成し、第一のアーム１１の後端にさらに取付孔１１３及び凹溝１１４が形成され、凹溝１１４は取付孔１１３に連通し、プラグユニット１４は取付孔１１３に固定され、かつ、フランジ１４２は凹溝１１４内に係止される。
【００１３】
導電端子２は、絶縁本体１のベース部１０に装着され、各導電端子２の両端は、各々、溶接端２０とコンタクト端２１であり、各溶接端２０はベース部１０の外側に位置し、各コンタクト端２１はカード挿着スペース１３内に位置される。
【００１４】
カード退出機構３は、スリッパー３０と弾性部材３１と案内部材３２を備える。図１０及び図１１に示されるように、スリッパー３０の底面にガイドブロック３０１が突設され、本実施例のガイドブロック３０１は長い条状であり、四方形などの異なる形状にしてもよい、ガイドブロック３０１は絶縁本体１の案内溝１１２に摺動的設置され、スリッパー３０は絶縁本体１の摺動エリア１１１に摺動的設置される。スリッパー３０の底面にさらにストップウォール３０６及びストップ角３０７を有し、スリッパー３０にさらに貫通孔３０５が設けられ、貫通孔３０５はスリッパー３０の底面及び頂面に貫通しており、カード退出機構３は、さらに、お互いに接続される支持部３３１と曲折部３３２と弾性アーム３３３とを有するアシスト端子３３を含み、支持部３３１はスリッパー３０のストップウォール３０６に当接し、支持部３３１に導片３３４が設けられ、導片３３４はスリッパー３０の貫通孔３０５から凸出され、弾性アーム３３３に内向き折部３３５が設けられ、内向き折部３３５は絶縁本体１のカード挿着スペース１３内に突出進入し、弾性アーム３３３の自由端はスリッパー３０のストップ角３０７の内側にストップされ、アシスト端子３３をスリッパー３０に固定させる。
【００１５】
スリッパー３０の頂面に軌跡曲線溝３０２が設けられる。スリッパー３０は、絶縁本体１のカード挿着スペース１３内に斜めに進入される推進面３０９を備える。スリッパー３０は、さらに切溝３０８を設け、絶縁本体１の第一のアーム１１の凸部１１６を切溝３０８に係合させ、安定性を増加する。スリッパー３０の外側には取付溝３０３が形成され、スリッパー３０は、取付溝３０３内に位置する第二のロッド部３０４を備える。弾性部材３１の取付は、弾性部材３１を直接に絶縁本体１の取付孔１１３から第一のアーム１１の内側に貫設し、弾性部材３１の一端を取付溝３０３内に収納させ、さらにプラグユニット１４を取付孔１１３内に固定し、第一のロッド部１４１及び第二のロッド部３０４を各々弾性部材３１の両端に貫設し、かつ、弾性部材３１の両端を各々プラグユニット１４及びスリッパー３０に当接させることより、簡単に弾性部材３１の取付が完成出来、取付の際に弾性部材３１の付勢力で弾性部材３１が自由に飛んでしまうようなことはない。案内部材３２の両端は、各々、枢接端３２１と案内端３２２であり、枢接端３２１は絶縁本体１の枢穴１１５に枢接し、案内端３２２はスリッパー３０の軌跡曲線溝３０２内に可動に移動している。
【００１６】
カバーケース４は絶縁本体１上にカバーして設置され、カバーケース４は上板４０と二つの側板４１、４２と後板４３を備える。上板４０に当接片４０１と挿片４０２と下凹点４０３と下凹部４０４が設けられ、挿片４０２は各々絶縁本体１のベース部１０の各挿穴１０２内に貫通し位置決められ、当接片４０１は案内部材３２の案内端３２２の上方に当接し、下凹点４０３は案内部材３２の枢接端３２１の上方に当接し、各下凹部４０４はカード挿着スペース１３内に突出進入し、かつ、各下凹部４０４は導角（図に示さず）を有する。カバーケース４の上板４０にガイドレール４０５が形成され、ガイドレール４０５は絶縁本体１の案内溝１１２に平行し、カード退出機構３のアシスト端子３３の導片３３４はガイドレール４０５内に摺動可能に設置される。各側板４１、４２に定位孔４２１が形成され、各定位孔４２１は絶縁本体１の第一のアーム１１及び第二のアーム１２の各定位凸部１２１に係止される。後板４３にも定位孔４３１が形成され、定位孔４３１は絶縁本体１のベース部１０の定位凸部１０１に係止され、かつ、後板４３は絶縁本体１の第一のアーム１１の取付孔１１３の外側にカバーしている。
【００１７】
電子カードを絶縁本体１のカード挿着スペース１３に挿入したとき、電子カードの一端よりスリッパー３０の推進面３０９を推進し前進させ、かつ弾性部材３１を圧縮させ、案内部材３２の案内端３２２をスリッパー３０の軌跡曲線溝３０２内に進行しその中に位置決められ、カード挿入動作を完成させる。再び電子カードを推進すると、案内部材３２の案内端３２２は開放され、かつ弾性部材３１よりスリッパー３０を押し戻して、推進面３０９で電子カードを押出し、カード退出動作を完成させる。スリッパー３０のガイドブロック３０１を絶縁本体１の案内溝１１２に摺動的設置しているため、スリッパー３０を平穏に進行させ、電子カードの挿入及び退出をさらに順調に行い、かつ、アシスト端子３３の導片３３４がカバーケース４のガイドレール４０５内に案内されるため、スリッパー３０の安定性をさらに増加できる。カバーケース４の当接片４０１及び下凹点４０３は、各々、案内部材３２の案内端３２２及び枢接端３２１に当接するので、案内部材３２が頻繁に動作することで変位されることなく、その正常の動作が確保出来る。カバーケース４の下凹部４０４の導角は、電子カードの挿着を案内でき、かつ、下凹部４０４は電子カードに当接し、電子カードの挿着をより安定させ、電子カードと各導電端子２との間の電気的接触は確実になり、信号伝送の品質が確保できる。
【００１８】
本発明の電子カードコネクタは、さらに検出端子５を含み、各検出端子５は絶縁本体１の第二のアーム１２に設けられ、電子カードの挿着定位を検出することで、電子カードの電気パッドと各導電端子２との間に電気導通であるか否かを確認する。
【００１９】
図１２は本発明のもう一つの実施例である。図１２を参照すると、絶縁本体１に二つ平行している案内溝１１２が設けられ、カード退出機構３のスリッパー３０の底面に二つ平行しているガイドブロック３０１が突設され、各ガイドブロック３０１は各案内溝１１２に摺動的設置される。これによって、スリッパー３０の摺動をさらに平穏に為らせ、スリッパー３０が作動する際に発生可能になる揺動、回転の状況を避ける。
【００２０】
本発明の電子カードコネクタは、以下のような特点を具える。
１．スリッパーのガイドブロックを絶縁本体の案内溝に摺動的設置しているため、スリッパーの摺動を平穏に行わせ、カード退出機構の動作過程が平穏になり、電子カードの挿入及び退出の順調性を上昇させる。
２．カバーケースの当接片及び下凹点は、各々、案内部材の案内端及び枢接端に当接するので、案内部材は変位し難くなり、正常の動作が確保出来る。
３．弾性部材は絶縁本体の取付孔及びプラグユニットに合わせて取付けられるので、取付をさらにし易くなり、生産率が上昇出来る。
４．カバーケースの下凹部は電子カードに当接するので、電子カードの挿着をより安定させ、電子カードと各導電端子との間の電気的接触は確実になり、信号伝送の品質が確保できる。
５．アシスト端子の導片がカバーケースのガイドレール内に案内されるため、スリッパーの安定性をさらに増加できる。
【図面の簡単な説明】
【００２１】
【図１】従来の電子カードコネクタの部分斜視組合図である。
【図２】本発明の電子カードコネクタの分解斜視図である。
【図３】本発明の電子カードコネクタの部分斜視組合図である。
【図４】本発明の電子カードコネクタのもう一つ角度の分解斜視図である。
【図５】本発明の電子カードコネクタの更なる一つ角度の部分斜視組合図である。
【図６】本発明の電子カードコネクタの更なる一つ角度の分解斜視図である。
【図７】本発明の電子カードコネクタの更なる一つ角度の部分斜視組合図である。
【図８】本発明の電子カードコネクタの更なる一つ角度の分解斜視図である。
【図９】本発明の電子カードコネクタの更なる一つ角度の部分斜視組合図である。
【図１０】本発明の電子カードコネクタのカード退出機構のスリッパーの斜視図である。
【図１１】本発明の電子カードコネクタのカード退出機構のスリッパーのもう一つ角度の斜視図である。
【図１２】本発明の電子カードコネクタのもう一つ実施例の分解斜視図である。
【符号の説明】
【００２２】
１      絶縁本体
２      導電端子
３      カード退出機構
４      カバーケース
５      検出端子
１０    ベース部
１１    第一のアーム
１２    第二のアーム
１３    カード挿着スペース
１４    プラグユニット
２０    溶接端
２１    コンタクト端
３０    スリッパー
３１    弾性部材
３２    案内部材
４０    上板
４１、４２  側板
４３    後板
１０１  定位凸部
１０２  挿穴
１１１  摺動エリア
１１２  案内溝
１１３  取付孔
１１４  凹溝
１１５  枢穴
１１６  凸部
１２１  定位凸部
１３１  進行通路
１４１  第一のロッド部
１４２  フランジ
３０１  ガイドブロック
３０２  軌跡曲線溝
３０３  取付溝
３０４  第二のロッド部
３０５  貫通孔
３０６  ストップウォール
３０７  ストップ角
３０８  切溝
３０９  推進面
３２１  枢接端
３２２  案内端
３３１  支持部
３３２  曲折部
３３３  弾性アーム
３３４  導片
３３５  内向き折部
４０１  当接片
４０２  挿片
４０３下凹点
４０４  下凹部
４０５  ガイドレール
４２１  定位孔
４３１  定位孔
【図１】
2006172981.tif 000003
【図２】
2006172981.tif 000004
【図３】
2006172981.tif 000005
【図４】
2006172981.tif 000006
【図５】
2006172981.tif 000007
【図６】
2006172981.tif 000008
【図７】
2006172981.tif 000009
【図８】
2006172981.tif 000010
【図９】
2006172981.tif 000011
【図１０】
2006172981.tif 000012
【図１１】
2006172981.tif 000013
【図１２】
2006172981.tif 000014